(57)【要約】【課題】上記防水ハッチなどを備えず、大掛かりにならない形式による避難建物を提供することを課題とする。【解決手段】避難建物１は、多層階に住戸を備える集合住宅部２と、上記住戸への通路となる共用階段を備える階段塔３とを備えており、上記階段塔３には、避難場所となる屋上部３２と、上記屋上部３２に至る避難階段３３とが設けられており、上記階段塔３が上記集合住宅部２に比べて構造耐力が大きくされている。例えば、津波等が来た際により安全な場所に避難する余裕がない場合、住人等は、緊急的に上記共用階段および上記避難階段を使って上記階段塔の屋上部に避難することができる。上記階段塔は上記集合住宅部に比べて構造耐力が大きくされているので、津波等で上記集合住宅部が破壊されたような場合でも、破壊を免れうる。【選択図】図１
2017008481.tif 000002
【特許請求の範囲】
【請求項１】
多層階に住戸を備える集合住宅部と、上記住戸への通路となる共用階段を備える階段塔とを備えており、上記階段塔は上記集合住宅部に比べて構造耐力が大きくされており、上記階段塔には、避難場所となる屋上部と、上記屋上部に至る避難階段とが設けられていることを特徴とする避難建物。
【請求項２】
請求項１に記載の避難建物において、上記階段塔は、平面視で短辺壁と長辺壁を有する長方形状を有しており、津波等により水が流れると想定される方向に上記短辺壁を向けて建てられることを特徴とする避難建物。
【請求項３】
請求項２に記載の避難建物において、上記階段塔の上記短辺壁の側に共用の入口部が設けられており、上記長辺壁の側に上記集合住宅部が設けられていることを特徴とする避難建物。
【請求項４】
請求項１〜請求項３のいずれか１項に記載の避難建物において、上記集合住宅部の少なくとも１階住戸には、津波等の波力を受け流す間仕切り壁を備えることを特徴とする避難建物。
【請求項５】
請求項１〜請求項４のいずれか１項に記載の避難建物において、上記集合住宅部の少なくとも１階住戸には、津波時等の水を流す直線状の水経路が設定され、少なくともキッチン、バスおよびトイレが上記水経路には配置されない間取りとなっていることを特徴とする避難建物。
【請求項６】
請求項１〜請求項５のいずれか１項に記載の避難建物において、上記共用階段の側と上記避難階段の側とを仕切る壁およびドアが設けられており、上記ドアは破壊可能な面材からなることを特徴とする避難建物。
【請求項７】
請求項１〜請求項６のいずれか１項に記載の避難建物において、上記屋上部に隣接する上記集合住宅部の屋根には、上記屋上から遠ざかる方向に下り傾斜する屋根部が形成されており、上記下り傾斜する方向に、助けを求める合図が描かれた垂れ幕を上記屋上から垂らせることを特徴とする避難建物。
【発明の詳細な説明】
【技術分野】
【０００１】
この発明は、主に津波が発生したときの緊急の避難場所を提供する避難建物に関する。
【背景技術】
【０００２】
特許文献１には、地下フロアと、複数階の居住フロアと、屋上と、地下フロアと屋上間を連結する階段塔と、地下フロアへの入り口となる床面開口部と、これを水密に閉塞する防水ハッチを備えた津波避難施設で、階段塔の壁面は防水性を備えており、その上端には通気用の溝及び出入口が形成されると共に、その下端は地下フロアと連通し、この階段塔を介して地下フロアと屋上間の通気性が確保され、この階段塔内の階段を利用して地下フロアと屋上間の移動が確保される。
【先行技術文献】
【特許文献】
【０００３】
【特許文献１】特開２０１４−２０１９１３号公報
【発明の概要】
【発明が解決しようとする課題】
【０００４】
しかしながら、上記従来の技術では、居住者にとっては、遠くの避難所への移動を不要にできるものの、上記階段塔を介して地下フロアと屋上間の通気性を確保するため、上記防水ハッチを備えなければならないなど、大掛かりになる欠点があった。
【０００５】
この発明は、上記の事情に鑑み、上記防水ハッチなどを備えず、大掛かりにならない形式による避難建物を提供することを課題とする。
【課題を解決するための手段】
【０００６】
この発明の避難建物は、上記の課題を解決するために、多層階に住戸を備える集合住宅部と、上記住戸への通路となる共用階段を備える階段塔とを備えており、上記階段塔は上記集合住宅部に比べて構造耐力が大きくされており、上記階段塔には、避難場所となる屋上部と、上記屋上部に至る避難階段とが設けられていることを特徴とする。
【０００７】
上記の構成であれば、例えば、津波等が来た際により安全な場所に避難する余裕がない場合、住人等は、緊急的に上記共用階段および上記避難階段を使って上記階段塔の屋上部に避難することができる。上記階段塔は上記集合住宅部に比べて構造耐力が大きくされているので、津波等で上記集合住宅部が破壊されたような場合でも、破壊を免れうる。また、従来のような防水ハッチなどは不要にできる。
【０００８】
上記階段塔は、平面視で短辺壁と長辺壁を有する長方形状を有しており、津波等により水が流れると想定される方向に上記短辺壁を向けて建てられていてもよい。これによれば、上記階段塔が受ける津波等の波力を小さくすることができる。
【０００９】
上記階段塔の上記短辺壁の側に共用の入口部が設けられており、上記長辺壁の側に上記集合住宅部が設けられていてもよい。これによれば、津波等の波力を受けた上記集合住宅部によって上記階段塔が押されるのを回避し、上記階段塔に津波等による大きな力が加わるのを防止しうる。
【００１０】
上記集合住宅部の各住戸には、津波等の波力を受け流す間仕切り壁を備えてもよい。これによれば、上記集合住宅部の躯体の破損を極力回避し、また、上記集合住宅部が受ける波力の影響が上記階段塔に及ぶことも極力回避できる。
【００１１】
上記集合住宅部の各住戸には、津波時等の水を流す直線状の水経路が設定され、少なくともキッチン、バスおよびトイレが上記水経路には配置されない間取りとなっていてもよい。これによれば、津波時等の水を上記キッチン等によって邪魔されずに円滑に流すことができ、上記集合住宅部に加わる津波等の波力を軽減することができる。
【００１２】
上記共用階段の側と上記避難階段の側とを仕切る壁およびドアが設けられており、上記ドアは破壊可能な面材からなっていてもよい。これによれば、通常時には、上記共用階段の側から上記避難階段の側に入ることを禁止できる一方、津波等が発生したときには、上記ドアに仮に鍵がかかっていても、住人等は上記面材を蹴破る等により破壊し上記避難階段の設置箇所に入ることができる。
【００１３】
上記屋上部に隣接する上記集合住宅部の屋根には、上記屋上から遠ざかる方向に下り傾斜する屋根部が形成されており、上記下り傾斜する方向に、助けを求める合図が描かれた垂れ幕を上記屋上から垂らせるようにしてもよい。これによれば、避難したときに、上記垂れ幕を上記屋上から垂らし、容易に助けを求めることができる。
【発明の効果】
【００１４】
本発明であれば、例えば、津波等が来た際により安全な場所に避難する余裕がない場合、住人等は、緊急的に共用階段および避難階段を使って屋上部に避難することができる。上記階段塔は上記集合住宅部に比べて構造耐力が大きくされているので、津波で上記集合住宅部が破壊されたような場合でも、破壊を免れうる。また、従来のような防水ハッチなどを不要にでき、大掛かりにならない利点が得られる。
【図面の簡単な説明】
【００１５】
【図１】本発明の実施形態に係る避難建物の一部を斜視により示した説明図である。
【図２】図１の波避難建物の一部の概略正面図である。
【図３】図１の波避難建物の一部の概略側面図である。
【図４】図１の波避難建物の階段塔の概略平面図である。
【図５】本発明の実施形態に係る避難建物における集合住宅部と階段塔と、漂流物ブロックウォールと、波（押し波、引き波）の方向と、漂流物の方向を示した説明図である。
【図６】本発明の実施形態に係る避難建物における集合住宅部の間仕切り壁の動作を説明する説明図である。
【発明を実施するための形態】
【００１６】
以下、この発明の実施の形態を添付図面に基づいて説明する。
図１、図２および図３に示しているように、この実施形態の避難建物１は、集合住宅部２と階段が設置された建物である階段塔３とを備えている。上記集合住宅部２は、多層階に住戸を備えている。この例では、３階構造としており、屋根高さは、例えば１０ｍ程度となっている。また、上記集合住宅部２は、鉄骨ピン構造で構築されており、また、津波に対する構造耐力を備えるものとする。津波に対する構造耐力は、例えば、国土交通省の「津波避難ビル等の構造上の要件の解説」等に基づいて設定することができる。
【００１７】
上記階段塔３は、上記住戸への通路となる共用階段３１を備えたものであり、例えば、ラーメン構造を用いて構築される。上記階段塔３の高さは、上記集合住宅部２の屋根よりも高く、例えば、１２ｍ程度となっている。この階段塔３の構造耐力は、上記集合住宅部２の構造耐力よりも大きく、深さ１２ｍ程度の津波波力に耐えうることができ、上記集合住宅部２が破壊されるような大きな津波が来たときでも、上記階段塔３の破壊は免れうるように設計される。例えば、構造材となる鉄骨については、上記集合住宅部２においては６０ｘ６０ｍｍの鉄骨が用いられ、上記階段塔３においては３００ｘ３００ｍｍの鉄骨が用いられる。
【００１８】
上記階段塔３には、上下階の共用階段３１の折り返し部において踊り場が設けられている。さらに、上記階段塔３には、避難場所となる屋上部３２が設けられている。この屋上部３２の周囲縁には多数の隙間が形成された柵が設けられている。また、上記階段塔３には、上記屋上部３２に至る避難階段３３が設けられている（階段塔３内の避難階段３３は二点鎖線で示している）。上記避難階段３３および、この避難階段３３から上記屋上部３２に至る通路部にも多数の隙間が形成された柵が設けられている。上記階段塔３における上記避難階段３３の上方側には特に屋根等は備えず、開口部分が露呈されている。また、上記共用階段３１および避難階段３３は、上記集合住宅部２の外壁の外に位置する屋外階段となる。また、上記集合住宅部２の屋根のうち、上記屋上部３２の奥側縁に隣接する屋根部は、当該屋上部３２の奥側縁から遠ざかる方向に下り傾斜している。
【００１９】
上記避難階段３３は、例えば、螺旋階段からなる。この螺旋階段の下部は、２階から３階に至る踊り場に設けられており、この避難階段３３を使用するときには、上記２階から３階に至る踊り場へと向かうことになる。なお、上記踊り場と上記避難階段３３との間に、壁部を設けるとともに、この壁部にドアを設けてもよい。また、このドアを施錠できるようにしてもよい。さらに、上記ドアは、蹴破る等して破壊することができる面材からなっていてもよい。
【００２０】
上記階段塔３は、図４にも示すように、平面視で短辺壁３ａと長辺壁３ｂとを有する長方形状を有しており、上記階段塔３の上記長辺壁３ｂの側に上記集合住宅部２が設けられている。また、図２に示したように、上記短辺壁３ａの表側において、極力大きな開口３４を設けている。もちろん、裏側にも極力大きな開口を設けるのがよい。また、１階の開口３４には共用の入口ドア（入口部）３５が設けられるが、２階および３階の開口３４は、窓等を設けておらず、また、腰壁ではなく、多数の隙間が形成された柵（手摺り）３６を備え、津波の水圧を極力受け難いようにしている。また、図３に示したように、上記長辺壁３ｂの側であって、上記集合住宅部２が位置しない箇所にも開口３４が形成されている。
【００２１】
上記集合住宅部２と上記階段塔３とは、エキスパンションジョイント４によって連結されており、これら集合住宅部２と上記階段塔３の異なる揺れや移動を許容するようにしている。上記エキスパンションジョイント４については、一般に提供されているものを使用することができる。なお、津波の波力によって上記集合住宅部２が上記長辺壁３ｂと平行な方向に移動しようとする大きな力が上記階段塔３に作用するのは望ましくないので、このような大きな力が加わるときには、上記エキスパンションジョイント４による上記集合住宅部２と上記階段塔３との連結が断たれるように、上記エキスパンションジョイント４が壊れ易くなっていてもよい。或いは、上記集合住宅部２における上記エキスパンションジョイント４との接合箇所が壊れ易くなっていてもよい。
【００２２】
図５は、避難建物１（集合住宅部２、階段塔３）と、漂流物ブロックウォール５と、波（押し波、引き波）の方向と、漂流物の方向を示している。上記階段塔３は、津波により水が流れると想定される方向に上記短辺壁３ａを対向させて建てられている。また、上記階段塔３の１階部分には、上記入口ドア３５から建物裏側に直線状に抜ける空間部が形成されており、上記入口ドア３５から浸入した水は上記階段塔３の上記長辺壁３ｂと平行に流れ、上記入口ドア３５と反対側の短辺壁３ａの側から出ていくことができる。なお、上記入口ドア３５と反対側の短辺壁３ａの側における１階側は、先述したように、建物裏側に抜けるように形成されるが、全くの開口としなくてもよい。例えば、津波圧力により破壊するよう設計した非耐圧部材となる裏口ドア等としてもよい。上記入口ドア３５についても同様に非耐圧部材としてもよい。
【００２３】
また、上記集合住宅部２の少なくとも１階住戸においては、津波により水が流れると想定する直線の水経路に水を流し易くした間取りとしている。例えば、各住戸における津波時の水を流す水経路（図５にクロスハッチングで示している）を、上記押し波（引き波）の方向と平行（長辺壁３ｂと平行）に直線状に設定し、且つ、上記水経路に、少なくともキッチン、バスおよびトイレを配置しない間取りとする。上記キッチン、バスおよびトイレは、上記長辺壁３ｂ側から室内側にあまり出っ張らないように上記長辺壁３ｂ側に寄せて配置し、上記水経路の幅が極力広くなるようにしている。
【００２４】
上記住戸の上記水経路には、津波の波力を受け流す間仕切り壁２１が配置されている。上記間仕切り壁２１は、例えば、図６に示すように、上辺部側に設けた水平回動軸によって下部側が動く（揺動する）構造を有する。上記間仕切り壁２１の動く方向は、上記押し波（引き波）の方向と同方向としている。上記間仕切り壁２１は、日常において加わる力に対しては動かない構造とするのが望ましい。また、地震に対して、上記間仕切り壁２１の上辺部側の固定状態が維持されるようにするのが望ましい。
【００２５】
上記漂流物ブロックウォール５は、津波により水が流れると想定される方向に対向して設けられ、津波や漂流物（車、船、倒壊した家屋等）が直接に上記避難建物１に当たるのを回避する。また、上記漂流物ブロックウォール５は、津波により水が流れると想定される方向に対して直角に壁面を有するのではなく、非直交の壁部５１、５２を連続させた、くの字形状に形成されており、水圧や漂流物を２方向に分散できるようになっている。上記壁部５１、５２の交わる箇所となる出隅部は上記押し波に向かうように位置しており、また、その角度は例えば鈍角とされている。また、図１にも示したように、上記漂流物ブロックウォール５には、貫通部５３が形成されている。上記貫通部５３は、津波の水を逃がして、上記漂流物ブロックウォール５に過剰な水圧がかからないようにする。上記貫通部５３の大きさが子供が通り抜けることができる程度の大きさとしたり、タイヤブランコを付設するなどすることにより、上記漂流物ブロックウォール５を遊具として利用できる。また、上記漂流物ブロックウォール５の際を駐輪場５４とすることもできる。
【００２６】
また、上記階段塔３の屋上部３２または上記避難階段３３の収容空間などに、助けを求める合図（ＳＯＳ等の文字）が描かれた垂れ幕が収納状態で保管できるようにしておいてもよい。そして、先述したように、上記屋上部３２の奥側縁に隣接する屋根部は、当該屋上部３２の奥側縁から遠ざかる方向に下り傾斜しており、津波が発生したときには、上記垂れ幕を上記屋上部３２から、上記集合住宅部２の屋根の下り傾斜を利用して垂らすことができる。例えば、垂れ幕に設けた紐を屋上部３２の柵に括り付けることができる。或いは、垂れ幕に設けた紐を屋上部３２の柵に引っ掛けるようにしてもよい。また、垂れ幕に錘を付けておくと、上記下り傾斜を利用して垂れ幕を拡げ易くなる。
【００２７】
上記の構成であれば、例えば、津波等が来た際により安全な場所に避難する余裕がない場合、住人等は、緊急的に上記共用階段３１および上記避難階段３３を使って上記階段塔３の屋上部３２に避難することができる。上記階段塔３は上記集合住宅部２に比べて構造耐力が大きくされているので、津波で上記集合住宅部２が破壊されたような場合でも、破壊を免れうる。
【００２８】
上記避難階段３３が螺旋階段からなっていていると、上記階段塔３で占める上記避難階段３３のスペースを小さくできる。
【００２９】
上記階段塔３は、平面視で短辺壁３ａと長辺壁３ｂを有する長方形状を有しており、津波により水が流れると想定される方向に上記短辺壁３ａを向けて建てられていると、上記階段塔３が受ける津波の波力を小さくすることができる。
【００３０】
上記階段塔３の上記長辺壁３ｂの側に上記集合住宅部２が設けられていると、津波の波力を受けた上記集合住宅部２によって上記階段塔３が押されるのを回避し、上記階段塔３に津波による大きな力が加わるのを防止できる。
【００３１】
上記集合住宅部２の住戸に津波の波力を受け流す間仕切り壁２１が備えられていると、上記集合住宅部２の躯体の破損を極力回避し、また、上記集合住宅部２が受ける波力の影響が上記階段塔３に及ぶことも極力回避できる。
【００３２】
上記集合住宅部２の住戸に津波時の水を流す直線状の水経路が設定され、少なくともキッチン、バスおよびトイレが上記水経路には配置されない間取りとなっていると、津波時の水を上記キッチン等によって邪魔されずに円滑に最短距離で流すことができ、上記集合住宅部２に加わる津波の波力を軽減することができる。
【００３３】
上記共用階段３１の側と上記避難階段３３の側とを仕切る壁およびドアが設けられており、上記ドアが破壊可能な面材からなっていると、通常時には、上記共用階段３１の箇所から上記避難階段３３の側に入ることを禁止できる一方、津波が発生したときには、上記ドアに仮に鍵がかかっていても、住人等は上記面材を蹴破って上記避難階段３３の設置箇所に入ることができる。
【００３４】
上記屋上部３２に隣接する上記集合住宅部２の屋根には、上記屋上部３２から遠ざかる方向に下り傾斜する屋根部が形成されており、上記下り傾斜する方向に、助けを求める合図が描かれた垂れ幕を上記屋上から垂らせるようにしていると、避難したときに、上記垂れ幕を上記屋上部３２から垂らし、容易に助けを求めることができる。
【００３５】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。また、主に津波を想定しているが、洪水や高潮など、建物が水没するような災害に対する緊急の避難場所としても用いることができる。
【符号の説明】
【００３６】
１    ：避難建物
２    ：集合住宅部
３    ：階段塔
３ａ  ：短辺壁
３ｂ  ：長辺壁
４    ：エキスパンションジョイント
５    ：漂流物ブロックウォール
２１  ：間仕切り壁
３１  ：共用階段
３２  ：屋上部
３３  ：避難階段
３４  ：開口
３５  ：入口ドア
３６  ：柵
５１  ：壁部
５２  ：壁部
５３  ：貫通部
５４  ：駐輪場
【図１】
2017008481.tif 000003
【図２】
2017008481.tif 000004
【図３】
2017008481.tif 000005
【図４】
2017008481.tif 000006
【図５】
2017008481.tif 000007
【図６】
2017008481.tif 000008